(57)【要約】  【課題】机等の台が無くても好適に使用することができ、場所を選ばずに簡単に転写作業を行うことができる転写具を提供する。  【解決手段】転写具本体１と、転写具本体１に付帯させてなる転写対象物受け台２とを備え、転写具本体１と前記転写対象物受け台２との間に紙片Ｐが挿通可能な挿通空間ＡＳを形成し、挿通空間ＡＳ内に少なくとも転写ヘッドＨの転写面ＲＴａが表出するように転写ヘッドＨを位置付け、挿通空間ＡＳに紙片Ｐを挿入して転写具本体１と転写対象物受け台２との間に紙片Ｐを挟んだ状態で転写面ＲＴａを紙片Ｐに接触させながら所定の転写方向へスライド移動させることによりテープ糊Ｔを紙片Ｐに転写するように構成した。【選択図】図３
2005319619.tif 000002
【特許請求の範囲】
【請求項１】
転写物を紙等の転写対象物に転写する際に用いられる転写具であって、
少なくとも前記転写物を前記転写対象物に接触させ得る転写ヘッドを有する転写具本体と、当該転写具本体に付帯させてなる転写対象物受け台とを具備してなり、前記転写ヘッドが、前記転写物の前記転写対象物への転写時に前記転写対象物に接触し且つ転写物を転写する部位である転写面を有し、前記転写具本体と前記転写対象物受け台との間に前記転写対象物が挿通可能な挿通空間を形成し、当該挿通空間内に少なくとも前記転写面が表出するように前記転写ヘッドを位置付け、前記挿通空間に前記転写対象物を挿入して前記転写具本体と前記転写対象物受け台との間に転写対象物を挟んだ状態で前記転写面を前記転写対象物に接触させながら所定の転写方向へスライド移動させることにより前記転写物を前記転写対象物に転写するように構成していることを特徴とする転写具。
【請求項２】
前記挿通空間が、少なくとも所定の転写方向、反転写方向、前記転写方向及び前記反転写方向と直交する方向の三方に連続して開口しているものである請求項１記載の転写具。
【請求項３】
転写時に前記転写ヘッドの前記転写面を転写対象物の表面を滑らせることにより前記転写物を前記転写対象物に転写するように構成している請求項１又は２記載の転写具。
【請求項４】
前記転写ヘッドが転写時に回転し得る前記転写面を有してなる転写ローラを具備するものである請求項１又は２記載の転写具。
【請求項５】
前記転写対象物受け台に、転写時に前記転写ローラと連動して回転し得る第１補助ローラを設けている請求項４記載の転写具。
【請求項６】
前記第１補助ローラを前記転写ローラに対向する位置に設けている請求項５記載の転写具。
【請求項７】
前記第1補助ローラが、前記転写面と対向し得る部位であって且つ転写時に前記転写対象物の裏面に接触し得る裏当て面を有し、当該裏当て面と前記転写面とを相対的に接離するように構成している請求項５又は６記載の転写具。
【請求項８】
前記転写対象物受け台が、ベースと、少なくとも前記第１補助ローラを備え且つ前記ベースに対して天秤動作可能なアーム部とを具備するものである請求項７記載の転写具。
【請求項９】
前記第1補助ローラの回転支軸を支持する第１補助ローラ受け台を、前記転写ヘッドと接離する方向に弾性変形可能に構成している請求項７記載の転写具。
【請求項１０】
前記第１補助ローラを少なくとも前記転写ヘッドと接離する方向に弾性変形するクッション性材料により形成している請求項５、６、７、８又は９記載の転写具。
【請求項１１】
前記挿通空間内において、前記転写ローラ及び前記第１補助ローラの対向位置とは異なる位置において前記転写具本体側と前記転写対象物受け台側とで対向する一対以上の第２補助ローラを設けている請求項５、６、７、８、９又は１０記載の転写具。
【請求項１２】
前記転写具本体に、少なくとも一の前記第２補助ローラと前記転写ローラとの間に履帯を巻き掛けてなる第１無限軌道機構を設けている請求項１１記載の転写具。
【請求項１３】
前記転写対象物受け台に、少なくとも一の前記第２補助ローラと前記第１補助ローラとの間に履帯を巻き掛けてなる第２無限軌道機構を設けている請求項１１又は１２記載の転写具。
【請求項１４】
前記転写対象物受け台が、ベースと、少なくとも一の前記第２補助ローラを備え且つ前記ベースに対して天秤動作可能なアーム部とを具備するものである請求項１１、１２又は１３記載の転写具。
【請求項１５】
前記転写対象物受け台に少なくとも一の前記第２補助ローラを備え、当該第２補助ローラの回転支軸を支持する第２補助ローラ受け台を、前記一の前記第２補助ローラと対向するように前記転写具本体に設けられた他の前記第２補助ローラと接離する方向に弾性変形可能に構成している請求項１１、１２又は１３記載の転写具。
【請求項１６】
前記転写対象物受け台を、前記転写ヘッドの先端部を被覆し得る転写ヘッド被覆位置と前記転写ヘッドの先端部を表出させてなる転写ヘッド表出位置との間で前記転写具本体に対して相対移動可能に構成している請求項１、２、３、４、５、６、７、８、９、１０、１１、１２、１３、１４又は１５記載の転写具。
【請求項１７】
前記転写対象物受け台を前記転写具本体に対して転写方向又は反転写方向にスライド移動させることにより前記転写ヘッド被覆位置と前記転写ヘッド表出位置との間で相対移動させるスライド移動機構を設けている請求項１６記載の転写具。
【請求項１８】
前記スライド移動機構を、前記転写具本体に設けた軸と、前記転写対象物受け台に当該軸を支持するように形成した軸受け部とを用いて構成し、前記軸受け部に前記軸が挿通可能であり且つ転写方向又は反転写方向に延びる溝を形成し、当該溝の延出方向に沿って前記軸をスライド移動させることにより前記転写ヘッド被覆位置と前記転写ヘッド表出位置との間で前記転写対象物受け台を前記転写具本体に対してスライド移動可能に構成している請求項１７記載の転写具。
【請求項１９】
前記転写対象物受け台を前記転写具本体に対して所定方向に回転移動させることにより前記転写ヘッド被覆位置と前記転写ヘッド表出位置との間で相対移動させる回転移動機構を設けている請求項１６記載の転写具。
【請求項２０】
前記回転移動機構を、前記転写具本体に設けた軸と、前記転写対象物受け台に当該軸を回転可能に支持するように形成した軸受け部とを用いて構成し、前記軸と前記軸受け部との枢着点を支点に前記転写ヘッド被覆位置と前記転写ヘッド表出位置との間で前記転写対象物受け台を前記転写具本体に対して回転移動可能に構成している請求項１９記載の転写具。
【請求項２１】
転写時に前記転写具本体と前記転写対象物受け台とが所定距離以上接近することを規制する規制手段を備えている請求項１、２、３、４、５、６、７、８、９、１０、１１、１２、１３、１４、１５、１６、１７、１８、１９又は２０記載の転写具。
【請求項２２】
前記規制手段が、前記転写具本体又は前記転写対象物受け台の何れか一方に設けられ且つ他方に向かって延出する延出片を用いたものであり、前記転写物の前記転写対象物への転写時に前記延出片が他方と優先して当接し得るように構成したものである請求項２１記載の転写具。
【請求項２３】
前記挿通空間に前記転写対象物を差し込んだ際に当該転写対象物の縁部が当接し得るガイド手段を備え、前記転写対象物をこのガイド手段に案内させて前記挿通空間内を移動可能に構成している請求項１、２、３、４、５、６、７、８、９、１０、１１、１２、１３、１４、１５、１６、１７、１８、１９又は２０記載の転写具。
【請求項２４】
前記ガイド手段が、前記転写具本体又は前記転写対象物受け台の何れか一方に設けられ且つ他方に向かって延出する延出片を用いたものである請求項２３記載の転写具。
【請求項２５】
転写時に前記転写具本体と前記転写対象物受け台とが所定距離以上接近することを規制する規制手段を備えるとともに、当該規制手段が、前記挿通空間に前記転写対象物を差し込んだ際に当該転写対象物の縁部が当接し得るガイド手段として機能する請求項１、２、３、４、５、６、７、８、９、１０、１１、１２、１３、１４、１５、１６、１７、１８、１９又は２０記載の転写具。
【請求項２６】
前記規制手段を、前記転写具本体又は前記転写対象物受け台の何れか一方に設けられ且つ他方に向かって延出する延出片を用いたものであり、前記転写物の前記転写対象物への転写時に前記延出片が他方と優先して当接し得るように構成するとともに、前記ガイド手段が、前記延出片を用いたものである請求項２５記載の転写具。
【請求項２７】
前記延出片が、前記転写方向に沿った一側方を閉塞し得るものである請求項２２、２４又は２６記載の転写具。
【請求項２８】
前記転写対象物受け台を前記転写具本体に対して回動可能に支持する軸を前記転写具本体に固定して設け、当該軸に少なくとも側面視において相互に略平行をなし且つ前記転写対象物受け台の延出方向に沿って延びる一対の対向縁部を形成するとともに、これら対向縁部の延出方向を前記転写方向とは異なるように初期状態を設定し、
前記転写対象物受け台に、前記軸を挿入させる軸受け部を形成するとともに、前記軸の対向縁部間の距離と略同じ開口寸法を有する開口部を形成した弾性変形部を設け、
前記初期状態において前記開口部と前記軸受け部とを連通させた部位に前記軸を挿入し、当該軸の前記対向縁部と前記開口部の内面部とを圧接させてなる前記初期状態から前記軸を中心に前記転写対象物受け台を前記転写具本体に接近する方向に回動させる過程で、前記対向縁部と前記開口部の内面部との圧接力によって前記弾性変形部が弾性変形することにより、前記転写対象物受け台を転写具本体から離間させる方向へ付勢する付勢力を蓄積するように構成している請求項１、２、３、４、５、６、７、８、９、１０、１１、１２、１３、１４、１５、１６、１７、１８、１９、２０、２１、２２、２３、２４、２５、２６又は２７記載の転写具。
【請求項２９】
前記延出片のうち少なくとも前記挿通空間側に位置する内向き面と、前記転写面を通過する仮想の起立面である第１仮想起立面とが前記転写方向に開く鈍角となるように設定している請求項２２、２４、２６又は２７記載の転写具。
【請求項３０】
前記第１仮想起立面を前記転写方向と直交させ、前記内向き面と前記第１仮想起立面とが前記転写方向に開く鈍角となるように設定している請求項２９記載の転写具。
【請求項３１】
前記延出片を前記転写具本体に設けるとともに、当該転写具本体の外側壁を前記内向き面に対して略平行になるように設定している請求項３０記載の転写具。
【請求項３２】
前記転写方向に沿って起立する仮想の起立面である第２仮想起立面と前記内向き面とが平行になるように当該内向き面を設定し、当該内向き面と前記第１仮想起立面とが前記転写方向に開く鈍角となるように設定している請求項２９記載の転写具。
【発明の詳細な説明】
【技術分野】
【０００１】
本発明は、転写物を紙等の転写対象物に転写する際に用いられる転写具に関するものである。
【背景技術】
【０００２】
従来より、固体又は液体糊、粘着テープや粘着性を有しないテープ等のテープ類、接着剤等の転写物を紙葉類等の転写対象物に転写する際に用いる転写具が各種考えられている。このような転写物を転写するための転写具は、転写物を内部に保持するケースと、ケース内に保持された転写物を転写対象物に送り出すための転写ヘッドとを備えているのが通例である。この転写ヘッドは、転写対象物に接触して転写物を転写対象物に転写するものである。このような転写具は、使用者がホルダを手に持ち、転写対象面に転写ヘッドを接触させた状態で転写対象物上をスライド移動させることによって、転写物を転写対象面に転写するように構成されている（例えば、特許文献１参照）。
【特許文献１】特開２００２−１７８６９４公報（図２等）
【発明の開示】
【発明が解決しようとする課題】
【０００３】
しかしながら、従来のものは、安定した転写作業を行うために、机や作業台等のフラットな面板上に紙等の転写対象物を置いてから転写するため、転写具を使用できる場所が限定されるという不具合が生じる。加えて、糊等の転写物が転写対象物からはみ出した場合に机や作業台等が汚れることを未然に防止するために、机や作業台等の面板上にさらに下敷きを敷き、その上に転写対象物を敷く場合もあるが、このような場合には、転写するまでの作業が面倒であり、直ぐに転写作業を行うことができず、今ひとつ実用性に欠けるという問題も発生する。
【０００４】
本発明は、このような課題に着目してなされたものであって、主たる目的は、机等の台が無くても好適に使用することができ、場所を選ばずに簡単に転写作業を行うことができる転写具を提供することにある。
【課題を解決するための手段】
【０００５】
すなわち、本発明の転写具は、転写物を紙等の転写対象物に転写する際に用いられるものであって、少なくとも前記転写物を前記転写対象物に接触させ得る転写ヘッドを有する転写具本体と、この転写具本体に付帯させてなる転写対象物受け台とを具備してなり、前記転写ヘッドが、前記転写物の前記転写対象物への転写時に前記転写対象物に接触し且つ転写物を転写する部位である転写面を有し、前記転写具本体と前記転写対象物受け台との間に前記転写対象物が挿通可能な挿通空間を形成し、この挿通空間内に少なくとも前記転写面が表出するように前記転写ヘッドを位置付け、前記挿通空間に前記転写対象物を挿入して前記転写具本体と前記転写対象物受け台との間に転写対象物を挟んだ状態で前記転写面を前記転写対象物に接触させながら所定の転写方向へスライド移動させることにより前記転写物を前記転写対象物に転写するように構成していることを特徴とする。
【０００６】
ここで「転写方向」とは、転写具本体と転写対象物受け台との間に転写対象物を挟んで使用する時に転写対象物に対して転写具を移動させる方向を指す。このようなものであれば、従来の転写具にはない使用態様、すなわち、転写具本体と転写対象物受け台との間に紙を挟み込んだ状態で転写する使用態様を採用することができるため、転写時に転写対象物を敷くためのテーブルや机等の台を用いる必要がなく、場所を選ばずいつでもどこでも簡単に転写することができる。その結果、テーブル等の台の上面にさらに下敷きを敷く作業も当然不必要となり、直ぐに転写作業を行うことができ好適である。
【０００７】
特に、前記挿通空間が、少なくとも所定の転写方向、前記転写方向の逆方向である反転写方向、前記転写方向及び前記反転写方向と直交する方向の三方に連続して開口しているものであれば、転写可能な転写対象物の規格、形状が挿通空間の内寸に限定されることがなく、反転写方向側から挿入した転写対象物を転写方向側へ転写具に対して相対的にスライド移動させることによってどのような規格、形状の転写対象物にも好適に転写することができる。また、このような挿通空間を有するため、予め転写具本体と転写対象物受け台とを近接させた状態で、転写具本体と転写対象物受け台との間に形成される挿通空間に紙を差し込み、転写方向へ紙をスライド移動させることによって転写物を転写対象物に転写することもできる。この場合、転写具を握り込む操作を行わなくてもよいため、より簡便に転写作業を行うことができる。
【０００８】
また、転写時に前記転写ヘッドの前記転写面を転写対象物の表面を滑らせることにより前記転写物を前記転写対象物に転写するように構成すれば、転写ヘッドに転写ローラを設けた態様と比較して構造の簡素化、部品点数の削減を有効に図ることができる。
【０００９】
一方、前記転写ヘッドが転写時に回転し得る前記転写面を有してなる転写ローラを具備するものであれば、転写対象物と転写面との接触をより滑らかに行うことができ、転写性の向上に資する。特に、前記転写対象物受け台に、転写時に前記転写ローラと連動して回転し得る第１補助ローラを設けていれば、転写対象物を転写具本本体と転写対象物受け台との間に挟んで行う転写作業をスムーズに行うことができる。
【００１０】
さらに、転写ローラと第１補助ローラとをより高い確実で連動させるには、前記第１補助ローラを前記転写ローラに対向する位置に設ければよい。加えて、前記第1補助ローラが、前記転写面と対向し得る部位であって且つ転写時に前記転写対象物の裏面に接触し得る裏当て面を有し、この裏当て面と前記転写面とを相対的に接離するように構成すれば、転写時に、転写する転写対象物の厚みに対応して裏当て面と前記転写面とが相対的に接離し、裏当て面と転写面とを転写対象物の表面及び裏面にそれぞれ接触させることができ、転写対象物に対するくいつきがよくなる。具体的な実施態様としては、前記転写対象物受け台が、ベースと、少なくとも前記第１補助ローラを備え且つ前記ベースに対して天秤動作可能なアーム部とを具備するものである態様や、前記第1補助ローラの回転支軸を支持する第１補助ローラ受け台を、前記転写ヘッドと接離する方向に弾性変形に構成している態様が挙げられる。また、前記第１補助ローラを少なくとも前記転写ヘッドと接離する方向に弾性変形するクッション性材料により形成していればこれらの効果をさらに実効あるものとすることができる。
【００１１】
また、前記挿通空間内において、前記転写ローラ及び前記第１補助ローラの対向位置とは異なる位置において前記転写具本体側と前記転写対象物受け台側とで対向する一対以上の第２補助ローラを設けていれば、挿通空間内において少なくとも２箇所で転写対象物を転写具に密接に関連付けることとなり、転写対象物の移動を滑らかにすることができるとともに、転写具の転写対象物に対する直進性を有効に向上させることができる。
【００１２】
さらに、転写対象物に対する転写対象物の移動をより滑らかにするためには、前記転写具本体に、少なくとも一の前記第２補助ローラと前記転写ローラとの間に履帯を巻き掛けてなる第１無限軌道機構を設ければよい。加えて、前記転写対象物受け台にも、少なくとも一の前記第２補助ローラと前記第１補助ローラとの間に履帯を巻き掛けてなる第２無限軌道機構を設ければ、転写作業をよりスムーズに且つ安定した状態で行うことができる。特に、転写対象物の厚み等に柔軟に対応して対向する第２補助ローラ同士間の調整を行うことが可能な態様としては、前記転写対象物受け台が、ベースと、少なくとも一の前記第２補助ローラを備え且つ前記ベースに対して天秤動作可能なアーム部とを具備するものであるや、あるいは、前記転写対象物受け台に少なくとも一の前記第２補助ローラを備え、当該第２補助ローラの回転支軸を支持する第２補助ローラ受け台を、前記転写具本体に前記一の前記第２補助ローラと対向するように備えた他の前記第２補助ローラと接離する方向に弾性変形可能に構成しているものが挙げられる。
【００１３】
また、前記転写対象物受け台を、前記転写ヘッドの先端部を被覆し得る転写ヘッド被覆位置と前記転写ヘッドの先端部を表出させてなる転写ヘッド表出位置との間で前記転写具本体に対して相対移動可能に構成していれば、転写対象物受け台を転写ヘッド表出位置に設定した場合、既知の転写具と同様の使い方、すなわち、転写対象物を挟み込まない態様で使用することができ、用途によって使用態様を適宜変更することによってより実用的なものとなる。
【００１４】
具体的には、前記転写対象物受け台を前記転写具本体に対して転写方向又は反転写方向にスライド移動させることにより前記転写ヘッド被覆位置と前記転写ヘッド表出位置との間で相対移動させるスライド移動機構を設けたものが挙げられる。簡素な構造でありながら簡単な操作で転写ヘッド表出位置又は転写ヘッド被覆位置とすることができるスライド移動機構の具体的な実施態様としては、前記転写具本体に設けた軸と、前記転写対象物受け台にこの軸を支持するように形成した軸受け部とを用いて構成し、前記軸受け部に前記軸が挿通可能であり且つ転写方向又は反転写方向に延びる溝を形成し、この溝の延出方向に沿って前記軸をスライド移動させることにより前記転写ヘッド被覆位置と前記転写ヘッド表出位置との間で前記転写対象物受け台を前記転写具本体に対してスライド移動可能に構成しているものが挙げられる。
【００１５】
また、別の具体的な実施態様としては、前記転写対象物受け台を前記転写具本体に対して所定方向に回転移動させることにより前記転写ヘッド被覆位置と前記転写ヘッド表出位置との間で相対移動させる回転移動機構を設けたものが挙げられる。この場合、前記回転移動機構を、前記転写具本体に設けた軸と、前記転写対象物受け台にこの軸を回転可能に支持するように形成した軸受け部とを用いて構成し、前記軸と前記軸受け部との枢着点を支点に前記転写ヘッド被覆位置と前記転写ヘッド表出位置との間で前記転写対象物受け台を前記転写具本体に対して回転移動可能に構成すれば、転写ヘッド被覆位置にある転写対象物受け台を回転退避させることにより、転写ヘッド表出位置となり、操作も簡単である。
【００１６】
また、転写時に前記転写具本体と前記転写対象物受け台とが所定距離以上接近することを規制する規制手段を備えていれば、転写具本体と転写対象物受け台とが必要以上接近した場合に起こり得るいわゆるかみつきや部材の変形・損傷を防止することができる。規制手段の具体的な実施態様としては、前記転写具本体又は前記転写対象物受け台の何れか一方に設けられ且つ他方に向かって延出する延出片を用いたものであり、前記転写物の前記転写対象物への転写時に前記延出片が他方と優先して当接し得るように構成したものが挙げられる。このようなものであれば、簡素な構造を用いて、転写具本体と転写対象物受け台とが必要以上接近することを確実に防止することができる。
【００１７】
また、前記挿通空間に前記転写対象物を差し込んだ際にこの転写対象物の縁部が当接し得るガイド手段を備え、前記転写対象物をこのガイド手段に案内させて前記挿通空間内を移動可能に構成していれば、ガイド手段に転写対象物の縁部を当接させることにより、転写具に対する転写対象物の挿入奥行き寸法が一定となり、転写対象物の縁部と略平行に転写を行うことができる。ガイド手段の具体的な実施態様としては、前記転写具本体又は前記転写対象物受け台の何れか一方に設けられ且つ他方に向かって延出する延出片を用いたものが挙げられる。
【００１８】
また、転写時に前記転写具本体と前記転写対象物受け台とが所定距離以上接近することを規制する規制手段を備えるとともに、この規制手段が、前記挿通空間に前記転写対象物を差し込んだ際にこの転写対象物の縁部が当接し得るガイド手段として機能するものであってもよく、前記規制手段を、前記転写具本体又は前記転写対象物受け台の何れか一方に設けられ且つ他方に向かって延出する延出片を用いて、前記転写物の前記転写対象物への転写時に前記延出片が他方と優先して当接し得るように構成するとともに、前記ガイド手段が、前記延出片を用いたものであれば、一の部材を用いて規制手段とガイド手段とを実現することができ、規制手段とガイド手段とをそれぞれ別部材を用いて構成する態様と比較して部品点数の削減を有効に図ることができる。
【００１９】
特に、前記延出片が、前記転写方向に沿った一側方を閉塞し得るものであれば、転写対象物を挟み込む寸法や転写対象物の挿通空間への挿入奥行き寸法を一定に保つことが可能である。
【００２０】
また、前記転写対象物受け台を前記転写具本体に対して回動可能に支持する軸を前記転写具本体に固定して設け、この軸に少なくとも側面視において相互に略平行をなし且つ前記転写対象物受け台の延出方向に沿って延びる一対の対向縁部を形成するとともに、これら対向縁部の延出方向を前記転写方向とは異なるように初期状態を設定し、前記転写対象物受け台に、前記軸を挿入させる軸受け部を形成するとともに、前記軸の対向縁部間の距離と略同じ開口寸法を有する開口部を形成した弾性変形部を設け、前記初期状態において前記開口部と前記軸受け部とを連通させた部位に前記軸を挿入し、この軸の前記対向縁部と前記開口部の内面部とを圧接させてなる前記初期状態から前記軸を中心に前記転写対象物受け台を前記転写具本体に接近する方向に回動させる過程で、前記対向縁部と前記開口部の内面部との圧接力によって前記弾性変形部が弾性変形することにより、前記転写対象物受け台を転写具本体から離間させる方向へ付勢する付勢力を蓄積するように構成していれば、転写対象物受け台を転写具本体に接近する方向に操作力を付与しない限り、転写対象物受け台が初期状態に位置し、この初期状態において軸の対向縁と開口部の内面部とが圧接しているため遊びが生じ難く、転写具本体と転写対象物受け台との組付状態を良好なものとすることができる。
【００２１】
また、転写時に手首を返すことによる生じ得る転写の軌跡が曲線を描くという不具合を防止し、転写時の直進性を向上させるには、前記延出片のうち少なくとも前記挿通空間側に位置する内向き面と、前記転写面を通過する仮想の起立面である第１仮想起立面とが前記転写方向に開く鈍角となるように設定すればよい。具体的な実施態様としては、前記第１仮想起立面を前記転写方向と直交させ、前記内向き面と前記第１仮想起立面とが前記転写方向に開く鈍角となるように設定しているものが挙げられる。この場合、前記延出片を前記転写具本体に設けるとともに、この転写具本体の外側壁を前記内向き面に対して略平行になるように設定すれば、転写具本体と転写対象物受け台との間に転写対象物を挟み込んだ状態で、少なくとも転写具本体が転写対象物の縁部に対して見掛け上略平行となり、前記内向き面を第１仮想起立面に対して所定角度傾斜させた場合であっても使用者が違和感なく転写作業を行うことができる。また、別の具体的な実施態様としては、前記転写方向に沿って起立する仮想の起立面である第２仮想起立面と前記内向き面とが平行になるようにこの内向き面を設定し、この内向き面と前記第１仮想起立面とが前記転写方向に開く鈍角となるように設定したものが挙げられる。
【発明の効果】
【００２２】
以上説明したように本発明によれば、転写具本体と転写対象物受け台との間に紙等の転写対象物を挟み込んだ状態で転写するという従来にはない斬新な態様で転写具を使用することができるため、転写時に転写対象物を敷くためのテーブルや机等の台を用いる必要がなく、場所を選ぶことなくどこでも簡単に転写することができる。その結果、テーブル等の台の上面にさらに下敷きを敷く作業も当然不必要となり、直ぐに転写作業を行うことができ、極めて実用性に優れたものとなる。また、挿通空間が、所定の転写方向、反転写方向、転写方向及び反転写方向と直交する方向の三方に連続して開口しているものであるため、転写可能な転写対象物の規格、形状が挿通空間の内寸に限定されることがなく、反転写方向側から挿入した転写対象物を転写方向側へ送り出すことによってどのような規格、形状の転写対象物にも好適に転写することができる。さらに、転写具本体と転写対象物受け台とを予め近接させた状態で、転写具本体と転写対象物受け台との間に形成される前記挿通空間に転写対象物を差し込み、転写方向へ転写対象物をスライド移動させることによって転写物を転写対象物に転写することもでき、用途に合わせて種々の使用態様で転写することが可能となり、好適である。
【発明を実施するための最良の形態】
【００２３】
以下、本発明の一実施形態を、図面を参照して説明する。
【００２４】
本実施形態に係る転写具Ａは、例えば図１、図２等に示すように、テープ本体Ｔａと、このテープ本体Ｔａの片面に貼付した糊Ｔｂとからなる転写物たるテープ糊Ｔを転写対象物たる紙片Ｐに貼付するものである。
【００２５】
転写具Ａは、主として、前記テープ糊Ｔを保持し且つテープ糊Ｔを紙片Ｐに接触させ得る転写ヘッドＨを有する転写具本体１と、この転写具本体１に付帯させてなる転写対象物受け台２とを備えたものである。なお、以下の説明において、位置若しくは方向を示す用語である「前」とは、転写具Ａの転写ヘッドＨが位置する側を指し、「後」とは転写具Ａの長手方向における転写ヘッドＨが位置する側の反対側を指す。また、「前後方向」とは転写具Ａの長手方向を指す。また、「上」とは転写具Ａにおける転写具本体１が位置する側を指し、「下」とは転写具Ａにおける転写対象物受け台２が位置する側を指す。
【００２６】
転写具本体１は、主として、テープ糊Ｔを保持する詰替カートリッジ３と、この詰替カートリッジ３を着脱可能に収容するケース４とを備えている。
【００２７】
詰替カートリッジ３は、図２乃至図４（なお、図３は転写対象物受け台が後述する使用位置にある転写具を一部省略して示す側面図であり、図４は転写対象物受け台が後述する不使用位置にある転写具を一部省略して示す側面図である）等に示すように、主として巻出用スプールＳＰ１及び巻取用スプールＳＰ２をそれぞれ回転可能に支持する内側板３１を用いて構成されたものであり、この内側板３１の前端部に転写ヘッドＨを回転可能に支持させている。
【００２８】
内側板３１は、例えば合成樹脂製の薄板状をなすものであり、本実施形態では前端部側を斜め下方に延出させた側面視概略卵形をなすものとしている。巻出用スプールＳＰ１及び巻取用スプールＳＰ２は、いずれも両側端部に鍔部を一体に設け且つ略円筒状をなしており、軸方向に沿って貫通する貫通孔を形成したものである。そして、各スプールＳＰ１、ＳＰ２の貫通孔に、内側板３１の前後方向略中央部及び後端側からそれぞれ内側板３１と直交する方向に突出させてなる軸３１ａ、３１ｂをそれぞれ挿入することにより、各スプールＳＰ１、ＳＰ２を内側板３１に抜脱不能に取り付けている。このようにして巻出用スプールＳＰ１及び巻取用スプールＳＰ２を内側板３１に片持ち的に支持させている。なお、内側板３１の巻取用スプールＳＰ２の対向する位置に図示しない平面視鋸歯状の凹凸部を形成するとともに、巻取用スプールＳＰ２の鍔部に内側板３１と直交する方向に突出させてなる図示しない爪部を設け、凹凸部と爪部との噛み合わせにより、巻取用スプールＳＰ２が一方向だけに回転するように設定している。すなわち、凹凸部と爪部とにより、巻取用スプールＳＰ２の逆転を防止する逆転防止機構（ラチェット）を構成している。もちろん、内側板３１の巻出用スプールＳＰ１に対向する部位に凹凸部を形成し、この凹凸部に関連付けて巻出用スプールＳＰ１の鍔部に爪部を設けて巻出用スプールＳＰ１の逆転を防止するようにしてもよい。また、巻出用スプールＳＰ２における前記凹凸部が取り付けられる部位に、側面視部分円弧状のスリット３１ｃを形成している。
【００２９】
転写ヘッドＨは、テープ糊Ｔの紙片Ｐへの転写時に回転し得る転写ローラＲＴを有するものである。この転写ローラＲＴは、外部からの加えられた力によって若干弾性変形し得るクッション性材料により形成している。そして、内側板３１の前端近傍部位に、内側板３１と直交する方向に所定寸法延出させた直交片部３１１とこの直交片部３１１の先端部から内側板３１と略並行をなして延びる平行片部３１２とを一体に設け、この平行片部３１２の先端部及び平行片部３１２の先端部に対向する内側板３１の所定部位にそれぞれ形成した貫通孔に、転写ローラＲＴの回転支軸ＳＴの側端部をそれぞれ挿入することにより、転写ローラＲＴを回転支軸ＳＴを中心に回転可能に設定している。ここで、本実施実施において転写ヘッドＨの先端部とは、転写ローラＲＴのうち、転写時に紙片Ｐに接触し且つテープ糊Ｔを転写する部位である転写面ＲＴａの先端部を指す。この転写面ＲＴａは転写時に回転し得るものである。また、平行片部３１２の先端部及び平行片部３１２の先端部に対向する内側板３１の所定部位に、それぞれ外側方に向かって膨出させた筒状部３１２ｂ、３１ｄを設け、これら筒状部３１２ｂ、３１ｄを後述する各外側板４１、４３に設けた嵌合部４１９、４３７にそれぞれ嵌合可能に設定している。なお、本実施形態においては、これら筒状部３１２ｂ、３１ｄを、前記転写ローラＲＴの回転支軸ＳＴの側端部がそれぞれ挿入可能な前記貫通孔に関連付けて設けている。
【００３０】
他方、ケース４は、図２乃至図４等に示すように、主として転写具本体１の一方の外側壁となる第１外側板４１と、この第１外側板４１と対向し転写具本体１の他方の外側壁となる第２外側板４３とを備えたものである。
【００３１】
第１外側板４１は、前記内側板３１と同様に、例えば合成樹脂製の薄板状をなすものであり、本実施形態においてはコーナー部に丸みを帯びた側面視略方形状をなしている。この第１外側板４１の内側面に、前記巻出用スプールＳＰ１及び巻取用スプールＳＰ２を回転駆動するための巻出用ギアＧ１と、巻出用ギアＧ１より小径であり且つ巻出用ギアＧ１と噛合する巻取用ギアＧ２とを取付可能に構成している。巻出用ギアＧ１は、巻出用ギアＧ１の中心部に形成した挿通孔に第１外側板４１の前後方向略中央部より若干前端側に形成した軸４１ａを挿通し、次いでこの軸４１ａにコアＣ１を脱落不能に取り付けることにより、第１外側板４１の内側面に取り付けられている。一方、巻取用ギアＧ２は、コアＣ２を一体に有するものであり、その中央部に形成した挿通孔に第１外側板４１の後端部側に形成した軸４１ｂに挿通させることにより、第１外側板４１の内側面に脱落不能に取り付けられている。そして、ケース４に詰替カートリッジ３を装着した際に、コアＣ１の外周が巻出用スプールＳＰ１の内周と噛み合うとともに、コアＣ２の外周が巻取用スプールＳＰ２の内周と噛み合うように設定している。また、第１外側板４１の周縁のうち、前縁における下端部及び下縁における前端部を除く部位から第１外側板４１と略直交する方向に延出させてなる前周縁部４１３、上周縁部４１４、後周縁部４１５及び下周縁部４１６を連続させて一体に設けている。なお、下周縁部４１６の一部を非連続的に設定し、この部位に平面視略コ字状の固定部材４２を介して本発明の第２補助ローラＲ２ａを取り付けている。固定部材４２は、対向する一対の対向片４２１とこれら対向片４２１の一端部同士を連続させてなる連結片４２２とを備えた一体成形品であり（図２参照）、各対向片４２１の他端部から突出させてなる図示しない突起部を第１外側板４１に形成した図示しない被挿入凹部に挿入することにより固定部材４２を第１外側板４１に固着させている。しかして、この固定部材４２の連結片４２２及び第１外側板４１に相互に対向するように挿入穴を形成し、これら挿入穴に第２補助ローラＲ２ａの回転支軸Ｓ２ａの側端部をそれぞれ挿入することにより、第２補助ローラＲ２ａを回転支軸Ｓ２ａを中心に回転可能に設定している。この第２補助ローラＲ２ａは、転写ローラＲＴと同様に、外部からの加えられた力によって若干弾性変形し得るクッション性材料により形成している。加えて、第１外側板４１に、下周縁部４１６よりさらに下方に延出させてなる延出片４１７を一体に設けている（図５参照、なお、同図（ａ）は図３の要部を示す図であり、同図（ｂ）は図４の要部を示す図である。図５においては、延出片４１７をパターンを付して示し、後述するネジＶを省略している）。そして、転写具本体１と転写対象物受け台２とを近接させた状態において、後述する転写対象物受け台２に設けた第１補助ローラＲ１及び第２補助ローラＲ２ｂと延出片４１７とが干渉する、より具体的には各ローラＲ１、Ｒ２ｂの回転支軸Ｓ１、Ｓ２ｂと延出片４１７とが干渉することを回避すべく、延出片４１７における各補助ローラＲ１、Ｒ２ｂ（各回転支軸Ｓ１、Ｓ２ｂ）に対応する部位を側面視略部分円弧状に切り欠いている。そのために紙片Ｐの縁部Ｐａと糊Ｔｂの縁部とを略一致させることができる。また、延出片４１７の後端部には、延出片４１７の延出方向と直交する方向に突出させてなる軸４１８を設けている（図２、図５参照）。この軸４１８は、概略円柱状のものであり、側面視における上縁部４１８ａ及び下縁部４１８ｂを略平行に切り落とした側面視略小判状をなしている。これら上縁部４１８ａ及び下縁部４１８ｂが、側面視において相互に略平行をなす本発明の対向縁部である。これにより、上縁部４１８ａと下縁部４１８ｂとの間の距離、言い換えれば、側面視における軸４１８の上縁部４１８ａと下縁部４１８ｂとの高さ寸法は、軸４１８の直径より小さく設定される。さらに、軸４１８の上縁部４１８ａ及び下縁部４１８ｂの延出方向が転写方向とは異なるように設定している。本実施形態においては、転写方向と略平行関係にある第１外側板４１の下周縁部４１６と軸４１８の上縁部４１８ａおよび下縁部４１８ｂとが前方（反転写方向）を向いて略１５度をなすように設定している。なお、本実施形態では、この軸４１８を延出片４１７に一体に設けた態様を採用しているが、延出片４１７とは別部材の軸を延出片４１７に一体的に取り付けた態様を採用してもよい。また、第１外側板４１の後縁部位の一部を前端側に窪ませてなる凹部４１Ａを形成し、凹部４１Ａに後述する第２外側板４３に設けた係合片４３ａが係合する係合孔４１ａを形成している（図２参照）。さらに、第１外側板４１の前端部における下縁側に、内側方に向かって膨出させた嵌合部４１９を設けている。この嵌合部４１９は、前記内側板３１に設けた筒状部３１２ｂの内周及び外周に同時に嵌合する形状をなしている。また、前周縁部４１３の下縁側に、前周縁部４１３と同じ方向、すなわち第１外側板４１と直交する方向に向けて突出させた鉤状の係止片４１Ｋを設け、この係止片４１Ｋと後述する第２外側板４３に形成した係止孔４３Ｋとが相互に係し得るように設定してある。
【００３２】
一方、第２外側板４３は、前記第１外側板４１と同様に、例えば合成樹脂製の薄板状をなすもので、側面視形状を第１外側板４１の側面視形状に略対応するように設定しており、下端部略中央部に、第１外側板４１に設けた固定部材４２との干渉を回避すべく固定部材４２の側面視形状と略同形状の切欠き４３１を形成してある。第２外側板４３の内側面における前記詰替カートリッジ３の内側板３１の外側面が当接または近接し得る所定領域に、内側板３１の側面視形状に略対応させて他の領域より薄肉となるように外側面側に窪ませてなる嵌合凹部４３２を形成している（図２参照）。これにより内側板３１の第２外側板４３に対する位置決めを容易に行えるようにしている。この嵌合凹部４３２に、側面視部分円弧状のスリット４３２ａを形成し、ケース４内に詰替カートリッジ３を取り付けた状態において、このスリット４３２ａ及び内側板３１に形成した前記スリット３１ｃから巻取用スプールＳＰ２の外側面に円周方向に沿って間欠的に設けた凹陥部ＳＰ２ａに、ドライバやペン等先端部に尖った部位を有する適宜の工具又は筆記具等を差し込んで巻取用スプールＳＰ２を回転させると、それに伴って巻出用スプールＳＰ１も連動して回転し転写具本体１内でのテープ本体Ｔａを含むテープ糊Ｔの緩みを調整できるようにしている。また、第２外側板４３の周縁のうち、前縁における下端部及び下縁における前端部を除く部位から第２外側板４３と略直交する方向に延出させてなる前周縁部４３３、上周縁部４３４、後周縁部４３５及び下周縁部４３６を連続させて一体に設けている。さらに、第１外側板４１に設けた嵌合部４１９と対応する位置、すなわち、第２外側板４３の前端部における下縁側に、外側方に向かって膨出させた嵌合部４３７を設けている。この嵌合部４３７は、前記詰替カートリッジ３の内側板３１に設けた筒状部３１ｄの内周及び外周に同時に嵌合する形状をなしている。また、第１外側板４１に形成した凹部４１Ａに対応させて第２外側板４３の後縁部位の一部にも前端側に窪まてなる凹部４３Ａを形成し、この凹部４３Ａに、後周縁部４３５と同じ方向、すなわち第２外側板４３と直交する方向に向けて突出し且つ第１外側板４１の凹部４１Ａに形成した係合孔４１ａに係合する係合片４３ａを設けている。
【００３３】
そして、このような構成を有する第１外側板４１と第２外側板４３とを一体的に組み付けるには、第１外側板４１の係合孔４１ａに第２外側板４３の係合片４３ａを係合させることにより行う。これにより、係合片４３ａと係合孔４１ａとの係合部位がヒンジ機構として機能し、第１外側板４１と第２外側板４３とをこの係合部位を支点に相対的に回動可能に設定する。このようにして外側板４１、４３同士を一体的に組み付けてなるケースは、第１外側板４１の各周縁部４１３、４１４、４１５、４１６と、第２外側板４３の各周縁部４３３、４３４、４３５、４３６とを当接又は近接させて第１外側板４１と第２外側板４３との間を略閉塞させた閉込位置（Ｃ）と、第１外側板４１と第２外側板４３とが略直線状に位置しそれぞれの内部空間が開放された開放位置（図示省略）との間で回動可能に設定している。なお、閉込位置（Ｃ）に設定した場合には、第２外側板４３の前周縁部４３３に形成した係止孔４３Ｋと、第１外側板４１に設けた係止片４１Ｋとの係合により第１外側板４１と第２外側板４３とが係り合った状態となる。このように、係止片４１Ｋとこの係止片４１Ｋに対応する係止孔４３Ｋとによって閉込位置（Ｃ）において第１外側板４１と第２外側板４３とを相互に係り合わせる係止手段を構成している。
【００３４】
次に、このような構成を有する第１外側板４１と第２外側板４３とを組み付けてなるケース４内に前記詰替カートリッジ３を取り付ける手順について説明する。先ず、予め係合片４３ａと係合孔４１ａとを係合させてなるヒンジ機構を利用して相対的に回動可能に組み付けた第１外側板４１と第２外側板４３とを前記開放位置に設定する。そして、巻出用スプールＳＰ１の内周とコアＣ１の外周とを噛み合わせるとともに、巻取用スプールＳＰ２の内周とコアＣ２の外周とを噛み合わせるように詰替カートリッジ３を第１外側板４１に嵌め合わせる。これにより、詰替カートリッジ３の平行片部３１２に設けた筒状部３１２ｂと第１外側板４１に設けた嵌合部４１９が嵌合する。次いで、第１外側板４１と第２外側板４３とを開放位置から前記閉込位置（Ｃ）へ回動させる操作に伴い、詰替カートリッジ３の内側板３１に設けた筒状部３１ｄと第２外側板４３に設けた嵌合部４３７が嵌合するとともに、内側板３１の外側面が第２外側板４３に形成した嵌合凹部４３２に当接または近接した状態で嵌まり込み、第１外側板４１と第２外側板４３との間に詰替カートリッジ３が安定した状態で保持される。この組付状態において、転写ヘッドＨの先端部、すなわち転写ローラＲＴの転写面ＲＴａと第２補助ローラＲ２ａの下端部が、第１外側板４１及び第２外側板４３の下周縁部４１６、４３６よりさらに下方に位置するように設定されている（図３乃至図５参照）。
【００３５】
他方、転写対象物受け台２は、主として、前記第１外側板４１の延出片４１７に設けた軸４１８を支持するように形成された軸受け部５１１を有するベース５と、ベース５に対して天秤動作可能に設定されたアーム部６とを備えたものである。
【００３６】
ベース５は、前後巾寸法が、転写具本体１の前後巾寸法より若干小さく設定され、前後方向略中央部から前端部に亘る領域の高さ寸法を前後方向略中央部から後端部に亘る領域の高さ寸法より小さくなるように前後方向略略中央部に段部５Ｄを形成している。以下の説明においては、この段部５Ｄより後端部側の部位を後半部５１と称し、段部５Ｄより前端部側の部位を前半部５２と称す。後半部５１に、前記軸受け部５１１を形成している。この軸受け部５１１は、軸４１８の直径より僅かに大きな径をなす第１大径部５１１ａ及び第２大径部５１１ｂを前後方向に所定距離離間した部位に有するとともに、これら大径部５１１ａ、５１１ｂ同士を連通するように前後方向に延びる溝５１１ｃとを有する。溝５１１ｃは、軸４１８が挿通可能なものであるが、本実施形態においては、溝５１１ｃの高さ寸法を軸４１８の側面視における上縁部４１８ａと下縁部４１８ｂとの高さ寸法（上縁部４１８ａと下縁部４１８ｂとの距離）より若干大きく且つ軸４１８の直径より小さく設定している（図５参照）。そして、この軸受け部５１１を形成した部位に対応させて、ベース５の後半部５１における両外側壁を構成する外壁部５１２間に所定巾寸法のスペースを形成し、このスペースに側面視形状がベース５の後半部５１の側面視形状に略合致し且つ前記軸受け部５１１と略同形状の開口部５３ａを有する弾性部材５３を分離不能に取り付けている（図２及び図５参照）。弾性部材５３は、後端部の一部を切り離したものであり、開口部５３ａが後方に開口する側面視略Ｕ字形状をなしている。この弾性部材５３の前端部のみをベース５に固着し、前端部以外の部位が外力から加えられた力によって若干弾性変形し得るように設定されている。この弾性部材５３の開口部５３ａは、前端部及び中央部が前記軸受け部５１１の第１大径部５１１ａ及び溝５１１ｃと略合致するとともとに、後端部が溝５１１ｃと略合致する開口寸法であるため、側面視においては、弾性部材５３の後端部が第２大径部５１１ｂ内に表出している（図５及び後述する図７参照）。また、前半部５２の前後方向略中央部には上方に突出させてなる突出部５２１を設け、この突出部５２１の先端部にそれぞれ外側方に向かって突出させた側面視円形の一対の凸部５２１ａを設けている。
【００３７】
アーム部６は、ベース５の前半部５２に配設されるものであり、前後方向略中央部に、前記ベース５の前半部５２に設けた凸部５２１ａが嵌まり込む嵌合孔６１ａを形成している。また、アーム部６の前端部に、転写時に前記転写ローラＲＴと連動して回転し得る第１補助ローラＲ１を設けているとともに、アーム部６の後端部に、転写時に前記転写具本体１に設けた第２補助ローラＲ２ａと連動して回転し得る第２補助ローラＲ２ｂを設けている。具体的には、アーム部６の前端部及び後端部の所定部位にそれぞれ形成した一対の挿入孔６２ａに、第１補助ローラＲ１、第２補助ローラＲ２ｂの回転支軸Ｓ１、Ｓ２ｂの側端部をそれぞれ挿入することにより、第１補助ローラＲ１及び第２補助ローラＲ２ｂを回転支軸Ｓ１、Ｓ２ｂを中心に回転可能に設定している。これら第１補助ローラＲ１及び第２補助ローラＲ２ｂは弾性変形可能なクッション性材料により形成したものであり、これら各ローラＲ１、Ｒ２ｂの上縁部がアーム部６の上縁より上方に位置するように設定されている。しかして、アーム部６に形成した嵌合孔６１ａに前記ベース５の突出部５２１に設けた凸部５２１ａを嵌め込むことにより、アーム部６とベース５とを一体的に組み付ける。この組付状態において、アーム部６の下縁とベース５の前半部５２における上縁との間に所定高さ寸法の間隙２Ｓが形成され（図３等参照）、前記凸部５２１ａと嵌合孔６１ａとの嵌合部位を支点としてアーム部６がベース５に対して天秤動作可能な状態となる。そして、アーム部６をベース５に対して略平行となるように位置させた場合、アーム部６の上縁とベース５の後半部５１の上縁とが略一致し得るように設定してある。なお、本実施形態における転写対象物受け台２には、第1補助ローラＲ１を所定の操作力により一定角度回転させ得る操作レバーＬを設けており、後述する使用位置（Ｏ）においてこの操作レバーＬを適宜操作することにより、第１補助ローラＲ１を反転写方向へ一定寸法移動させ、これに連動して転写ローラＲＴも反転写方向へ一定寸法移動して転写ローラＲＴの転写面ＲＴａからテープ糊Ｔを引き出す結果テープ糊Ｔを紙片Ｐへ一定寸法で送り出し得るように構成している。また、操作レバーＬを介してテープ糊Ｔを紙片Ｐへ一定寸法で送り出し得る徐送状態と、この徐送状態を解除した通常の使用状態とを選択的に切り換えることができるように設定してある。また、アーム部６の上面部に挿通空間ＡＳの開放側の側方へ延出させてなる図示しない延出面部を形成し、転写時にこの延出面部によって紙片Ｐを支持するとともに、紙片Ｐを挿通空間ＡＳに差し込み易くするようにしている。さらに、延出面部の上面に、紙片Ｐへの糊Ｔｂの転写開始位置を示す転写開始位置表示手段を設けてもよい。転写開始位置表示手段としては、延出面部の上面において、転写ローラＲＴの回転支軸ＳＴの延長線上に略沿って設けた転写スタート位置表示ラインと、この転写スタート位置表示ラインのすぐ後方に設けた載置要領表示とから構成したものが挙げられる。これら転写スタート位置表示ライン及び載置要領表示は何れも延出面部の上面を浅く刻印したものが好ましく、転写スタート表示ラインとしては一直線上の線を、載置要領表示としては紙��の形状をそれぞれ採用すればよい。なお、これら転写スタート表示ライン及び載置要領表示として、延出面部の上面に印刷したものとしたりシールを貼付したものを採用しても構わない。このようにすることで、使用者に対して確実な転写作業と間違いのない使用方向とを示唆するようにしている。
【００３８】
このような構成をなす転写具本体１と転写対象物受け台２とを組み付けるには、先ず、転写具本体１の第１外側板４１に設けた軸４１８を、転写対象物受け台２のベース５に形成した軸受け部５１１に挿入する。具体的には、軸４１８を軸受け部５１１のうち後縁部側に形成した第２大径部５１１ｂに挿入し、この状態で軸４１８に形成したねじ孔に螺合するネジＶをねじ込み、転写対象物受け台２を転写具本体１に対して抜脱不能に一体的に組み付ける。なお、本実施形態においては、ネジＶとしていわゆるツマミ付ネジを用いており、ねじ合わせ作業の容易化を図っている。そして、この組付状態において、軸４１８と第２大径部５１１ｂとの枢着点を支点に、転写対象物受け台２が転写具本体１の転写ヘッドＨから所定距離離間した不使用位置（Ｐ）と、転写対象物受け台２が転写具本体１の転写ヘッドＨに当接又は近接した使用位置（Ｏ）との間で転写対象物受け台２を転写具本体１に対して回動可能に設定している。本実施形態においては、転写対象物受け台２が不使用位置（Ｐ）に位置する場合、軸４１８の上縁部４１８ａおよび下縁部４１８ｂを各外側板４１、４３の下周縁部４１６、４３６に対して所定角度（本実施形態では略１５度）傾斜させているため、転写対象物受け台２が、転写具本体１に対して所定角度（本実施形態では略１５度）傾斜した状態となる（図５（ｂ）参照）。この状態を初期状態とする。そして、初期状態（不使用位置（Ｐ））にある転写対象物受け台２を前記使用位置（Ｏ）に回転移動させると、軸４１８が第２大径部５１１ｂ内においてベース５に設けた弾性部材５３の開口部５３ａの内面部に当接して、これにより弾性部材５３の後端部側における開口部５３ａの開口高さ寸法が大きくなるように弾性部材５３が弾性変形する（図５（ａ）参照）。このように軸４１８の上縁部４１８ａ及び下縁部４１８ｂと開口部５３ａの内面部とを圧接させてなる前記初期状態から軸４１８を中心に転写対象物受け台２を転写具本体１に接近する方向に回動させる過程で、上縁部４１８ａ及び下縁部４１８ｂと開口部５３ａの内面部との圧接力によって弾性変形部材５３が弾性変形することにより、転写対象物受け台２を転写具本体１から離間させる方向へ付勢する付勢力を蓄積するように構成している。その結果、使用位置（Ｏ）にある転写対象物受け台２には、弾性部材５３の復元力により不使用位置（Ｐ）に戻る方向に力が作用する。
【００３９】
しかして、転写対象物受け台２を使用位置（Ｏ）に位置付けた場合、転写具本体１の第１外側板４１に設けた延出片４１７が、転写対象物受け台２のアーム部６の一部に当接し（図５（ａ）参照）、転写具本体１と転写対象物受け台２とが所定距離以上接近することを規制する。このように延出片４１７が転写具本体１と転写対象物受け台２とが所定距離以上接近することを規制する本発明の規制手段として機能する。また、使用位置（Ｏ）において、転写具本体１に設けた転写ローラＲＴと転写対象物受け台２に設けた第１補助ローラＲ１とが当接または近接した状態で対向するとともに、これら転写ローラＲＴと第１補助ローラＲ１との対向位置から転写方向に所定距離離れた位置において転写具本体１に設けた第２補助ローラＲ２ａと転写対象物受け台２に設けた第２補助ローラＲ２ｂとが当接または近接した状態で対向し、転写具本体１と転写対象物受け台２との間に紙片Ｐが挿通可能な挿通空間ＡＳが形成される。この場合、挿通空間ＡＳにおいて転写ローラＲＴの転写面ＲＴａと第１補助ローラＲ１の裏当て面Ｒ１ａとが当接または近接した状態で対向し、転写具本体１に設けた第２補助ローラＲ２ａの下縁部と転写対象物受け台２に設けた第２補助ローラＲ２ｂの上縁部とが当接または近接した状態で対向している。挿通空間ＡＳは、第１外側板４１及び第２外側板４３の下周縁部４１６、４３６とベース５及びアーム部６の上縁部との間に形成されるものであり、図６に示すように、一方の側方が前記延出片４１７によって略閉塞され、転写方向、延出片４１７に対向し得る他方の側方、及び反転写方向の三方に連続して開口しているものである。
【００４０】
一方、軸４１８を軸受け部５１１の第２大径部５１１ｂに位置させている場合、転写対象物受け台２が転写ヘッドＨの先端部を被覆し得る転写ヘッド被覆位置（Ｑ）となり、この状態から軸受け部５１１の溝５１１ｃの延出方向に沿って軸４１８を第１大径部５１１ａに向かってスライド移動させると、図７に示すように転写対象物受け台２が転写ヘッドＨの先端部を表出させてなる転写ヘッド表出位置（Ｒ）となる。このように、軸４１８と軸受け部５１１とを用いて、軸受け部５１１の溝５１１ｃの延出方向に沿って軸４１８をスライド移動させることにより転写ヘッド被覆位置（Ｑ）と転写ヘッド表出位置（Ｒ）との間で転写対象物受け台２を転写具本体１に対してスライド移動可能な本発明のスライド移動機構を構成している。
【００４１】
次に、このような構成を有する転写具Ａの使用方法及びその作用について説明する。
【００４２】
先ず、転写具本体１に親指を掛けるとともに、転写対象物受け台２にその他の指を掛けるようにして転写具Ａを持つ。その際、転写具本体１の延出片４１７が掌側に位置するように転写具Ａを持つ。そして、転写対象物受け台２を不使用位置（Ｐ）にした状態で、紙片Ｐの縁部Ｐａが転写具本体１の延出片４１７に当接又は近接するように紙片Ｐと転写具Ａとを近付ける。次いで転写対象物受け台２を転写ヘッドＨに近付ける方向に操作力を付与する、すなわち転写具Ａを強く握ると、転写対象物受け台２が転写具本体１に対して回転移動し使用位置（Ｏ）となる。この際、上述したように延出片４１７がアーム部６の一部に当接するとともに、転写ローラＲＴと第１補助ローラＲ１とが紙片Ｐを挟んだ状態で対向し、第２補助ローラＲ２ａ、Ｒ２ｂ同士が紙片Ｐを挟んだ状態で対向する。このようにして、転写具本体１と転写対象物受け台２との間に紙片Ｐを挟み込んだ状態で転写ローラＲＴの転写面ＲＴａを紙片Ｐの表面に接触させて転写方向に転写具Ａをスライド移動させる。そして、転写具Ａを転写方向へスライド移動させる際、紙片Ｐの縁部Ｐａと延出片４１７とを当接させた状態で紙片Ｐを延出片４１７に案内させて挿通空間ＡＳ内を移動し得るように構成している（図６参照）。このように延出片４１７が、本発明のガイド手段としても機能する。転写具Ａを転写方向へスライド移動させる操作に伴って、第１補助ローラＲ１がその裏当て面Ｒ１ａを紙片Ｐの裏面に接触させながら転写ローラＲＴと連動して同期回転するとともに、一対の第２補助ローラＲ２ａ、Ｒ２ｂが紙片Ｐとの摩擦力により同期回転し、安定した転写作業を行うことができるように設定してある。そして、転写対象物受け台２のアーム部６をベース５に対して天秤動作可能に設定していることにより、アーム部６に設けた第１補助ローラＲ１及び第２補助ローラＲ２ｂが、転写具本体１に設けた転写ローラＲＴ及び第２補助ローラＲ２ａと適宜接離し、少なくとも第１補助ローラＲ１の裏当て面Ｒ１ａが転写時に紙片Ｐの裏面に接触するように構成している。なお、転写時には、転写面ＲＴａと紙片Ｐとの間に挟まれたテープ糊Ｔが摩擦力で巻出用ギアＧ１と共に回転する巻出用スプールＳＰ１から送り出され、テープ本体Ｔａの片面に貼着した糊Ｔｂが紙片Ｐに貼付されると同時に、巻出用ギアＧ１に伴って逆回転する巻取用ギアＧ２と共に巻取用スプールＳＰ２が回転することによって片面に糊Ｔｂを有しないテープ本体Ｔａが巻取用スプールＳＰ２に巻き取られることになる。そして、紙片Ｐにおける所望の領域を転写した後は、転写対象物受け台２を転写具本体１に近付ける方向への操作力の付与を停止することによって、転写対象物受け台２がベース５に設けた弾性部材５３の復元力（付勢力）によって転写ヘッドＨから離間する方向に回転移動して不使用位置（Ｐ）となる。
【００４３】
また、本実施形態に係る転写具Ａは、転写具本体１と転写対象物受け台２との間に紙片Ｐを挟み込んで使用する態様の他、図７に示すように、転写具本体１と転写対象物受け台２との間に紙片Ｐを挟み込まず、転写具本体１のみを紙片Ｐに接触させてテープ糊Ｔを紙片Ｐに転写する使用態様も採用することができる。すなわち、前記軸４１８と軸受け部５１１とを用いて構成したスライド移動機構を利用して、前記転写ヘッド被覆位置（Ｑ）にある転写対象物受け台２を転写具本体１に対して後方（転写方向）にスライド移動させることにより転写ヘッド表出位置（Ｒ）となり、この状態で転写ヘッドＨを紙片Ｐに接触させて転写方向に転写具Ａをスライド移動させることにより周知の転写具Ａと同様の使用態様で転写することができる。また、転写作業後には、前記転写ヘッド表出位置（Ｒ）にある転写対象物受け台２を転写具本体１に対して前方（反転写方向）にスライド移動させることにより転写ヘッド被覆位置（Ｑ）とすればよい。なお、テープ糊Ｔを使い切った場合や転写ヘッドＨを交換する場合には、第１外側板４１の係止片４１Ｋと第２外側板４３の前周縁部４３３に形成した係止孔４３Ｋとの係合状態を解除してケース４を前記開放位置とし、詰替カートリッジ３をケース４から取り外して別の詰替カートリッジ３をケース４に取り付ければよい。
【００４４】
このように本実施形態に係る転写具Ａは、転写具本体１と、この転写具本体１に対して相対的に回動可能な転写対象物受け台２とを備えてなり、転写具本体１と転写対象物受け台２との間に紙片Ｐを挟み込んだ状態で転写ヘッドＨの転写面ＲＴａを紙片Ｐに接触させながら所定の転写方向へスライド移動させることによりテープ糊Ｔを紙片Ｐに転写するように構成しているため、転写時に紙片Ｐを敷くためのテーブルや机等の台を用意する必要がなく、どのような場所であっても簡単に転写することができる。また、挿通空間ＡＳが、転写方向、反転写方向、転写方向及び前記反転写方向と直交する方向の三方に連続して開口しているものであるため、転写可能な紙片Ｐの規格、形状が挿通空間ＡＳの内寸に限定されることがなく、反転写方向側から挿入した転写対象物を転写方向側へ送り出すことによってどのような規格、形状の紙葉類にも好適に転写することができる。また、転写対象物受け台２を使用位置（Ｏ）に位置付けた状態で、転写具本体１と転写対象物受け台２との間に形成される挿通空間ＡＳに紙片Ｐを差し込み、転写方向へ紙片Ｐをスライド移動させることによってテープ糊Ｔを紙片Ｐに転写することもできる。
【００４５】
特に、転写対象物受け台２に、転写時に転写ローラＲＴと連動して回転し得る第１補助ローラＲ１を設けているため、紙片Ｐを挟んで転写する作業をスムーズに行うことができる。しかも、第１補助ローラＲ１を転写ローラＲＴに対向する位置に設けていることにより、第１補助ローラＲ１と第１補助ローラＲ１とを密接に関連付けることができ、第１補助ローラＲ１の安定した回転動作を実現することができる。
【００４６】
また、前記第１補助ローラＲ１が、転写ローラＲＴの転写面ＲＴａと対向し得る部位であって且つ転写時に紙片Ｐの裏面に接触し得る裏当て面Ｒ１ａを有し、裏当て面Ｒ１ａと転写面ＲＴａとを相対的に接離するように構成しているため、第１補助ローラＲ１の紙片Ｐに対するくいつきがよくなる。加えて第１補助ローラＲ１を転写ヘッドＨと接離する方向に弾性変形するクッション性材料により形成しているため、第１補助ローラＲ１の紙片Ｐに対するくいつきをさらに向上させることができる。
【００４７】
さらに、挿通空間ＡＳ内において、前記転写ローラＲＴ及び前記第１補助ローラＲ１の対向位置とは異なる位置において前記転写具本体１側と前記転写対象物受け台２側とで対向する一対の第２補助ローラＲ２ａ、Ｒ２ｂを設けているため、挿通空間ＡＳ内における２箇所で紙片Ｐを挟持することができ、転写時に紙片Ｐが転写具Ａに対して位置ずれする不具合を有効に解消することが可能となり、転写具Ａの紙片Ｐに対する直進性を有効に向上させることができる。
【００４８】
また、転写対象物受け台２を、転写ヘッドＨの先端部を被覆し得る転写ヘッド被覆位置（Ｑ）と転写ヘッドＨの先端部を表出させてなる転写ヘッド表出位置（Ｒ）との間で転写具本体１に対して相対移動可能に構成しているため、転写対象物受け台２を転写ヘッド表出位置（Ｒ）に設定した場合、既知の転写具と同様の使い方、すなわち、紙片Ｐを挟み込まない態様で使用することができ、用途によって使い分けることが可能であり、より実用的なものとなる。特に、転写対象物受け台２を転写具本体１に対して転写方向又は反転写方向にスライド移動させることにより転写ヘッド被覆位置（Ｑ）と転写ヘッド表出位置（Ｒ）との間で相対移動させるスライド移動機構を設けているため、簡単な操作で転写ヘッド被覆位置（Ｑ）又は転写ヘッド表出位置（Ｒ）とすることができる。具体的には、スライド移動機構を、転写具本体１に設けた軸４１８と、転写対象物受け台２に軸４１８を支持するように形成した軸受け部５１１とを用いて構成し、軸受け部５１１に軸４１８が挿通可能であり且つ転写方向又は反転写方向に延びる溝５１１ｃを形成し、溝５１１ｃの延出方向に沿って軸４１８をスライド移動させることにより転写ヘッド被覆位置（Ｑ）と転写ヘッド表出位置（Ｒ）との間で転写対象物受け台２を転写具本体１に対してスライド移動可能に構成しているため、簡素な構造でありながら、簡単な操作で転写ヘッド表出位置（Ｒ）又は転写ヘッド被覆位置（Ｑ）とすることができ、使い勝手に優れたものとなる。
【００４９】
また、転写時に転写具本体１と転写対象物受け台２とが所定距離以上接近することを規制する規制手段を備えているので、転写具本体１と転写対象物受け台２とが必要以上接近した場合に起こり得るいわゆるかみつきや部材の変形・損傷を防止するとともに、紙片Ｐを挟み込む寸法が一定となるため、スムーズに転写作業を行うことができる。特に、規制手段が、転写具本体１に設けられ且つ他方に向かって延出する延出片４１７を用いたものであり、転写時に延出片４１７が転写対象物受け台２と優先して当接し得るように構成しているため、極めて簡素な構造を採用しながら転写具本体１と転写対象物受け台２とが所定距離以上接近することを確実に回避することができる。
【００５０】
しかも、この延出片４１７が、挿通空間ＡＳに紙片Ｐを差し込んだ際に紙片Ｐの縁部Ｐａが当接し得るガイド手段として機能し、紙片Ｐをこのガイド手段、すなわち延出片４１７に案内させて挿通空間ＡＳ内を移動可能に構成しているため、延出片４１７に紙片Ｐの縁部Ｐａを当接させることにより、転写具Ａに対する紙片Ｐの挿入奥行き寸法が一定となり、この挿入奥行き寸法を維持した状態で転写を行うことによって紙片Ｐの縁部Ｐａと略平行な転写軌跡を描くように転写することができる。また、延出片４１７が、挿通空間ＡＳにおいて転写方向に沿った一側方を閉塞し得るものであるため、紙片Ｐを挟み込む寸法及び紙片Ｐの挿通空間ＡＳへの挿入奥行き寸法を一定に保つことが可能である。
【００５１】
なお、本発明は、以上に詳述した実施形態に限られるものではない
例えば、転写時に転写ヘッドの転写面を紙片等の転写対象物の表面を滑らせることによりテープ糊等の転写物を紙片等の転写対象物に転写するように構成しているものであってもよい。具体的には、転写時に回転することなく転写対象物の表面を滑る前記転写面を有してなる面板部を備えた転写ヘッドを採用した転写具である。このようなものであれば、転写ローラを用いた態様と比較して回転支軸等を取り付ける必要がなく、構造の簡素化、部品点数の削減を図ることができる。
【００５２】
また、第１補助ローラを転写ローラに対向する位置に必ずしも設ける必要はなく、第１補助ローラと転写ローラとが転写時に連動する関係にあればよい。
【００５３】
転写具の転写対象物に対する直進性を有効にさらに向上させるために、挿通空間内において、転写具本体側と転写対象物受け台側とで対向する第２補助ローラを二対以上設けても構わない。
【００５４】
また、転写具本体に、少なくとも一の第２補助ローラと転写ローラとの間に履帯を巻き掛けてなる第１無限軌道機構を設けてもよい。このようなものであれば、各ローラの同期回転動作に伴って回動する履帯を利用することにより転写作業をよりスムーズに行うことができる。この場合、履帯を転写ローラの転写面にかからないように巻き掛けるのが好ましい。さらに、転写対象物受け台に、少なくとも一の第２補助ローラと第１補助ローラとの間に履帯を巻き掛けてなる第２無限軌道機構を設ければ、転写作業をよりスムーズに且つ安定した状態で行うことができる。
【００５５】
挿通空間は、少なくとも所定の転写方向、反転写方向、前記転写方向及び前記反転写方向と直交する方向の三方に連続して開口しているものであればよく、さらに、転写方向、反転写方向、転写方向及び反転写方向と直交する両側方の四方に連続して開口しているものであっても構わない。
【００５６】
また、転写対象物受け台を、転写ヘッド被覆位置と転写ヘッド表出位置との間で転写具本体に対して相対移動可能に構成する態様として、上記実施形態で例示したスライド移動機構を利用した態様に限らず、転写対象物受け台を転写具本体に対して所定方向に回転移動させることにより前記転写ヘッド被覆位置と前記転写ヘッド表出位置との間で相対移動させる回転移動機構を利用した態様を採用しても構わない。この場合、回転移動機構を、転写具本体に設けた軸と、転写対象物受け台に軸を回転可能に支持するように形成した軸受け部とを用いて構成し、軸と軸受け部との枢着点を支点に転写ヘッド被覆位置と転写ヘッド表出位置との間で転写対象物受け台を転写具本体に対して回転移動可能に構成すればよい。このようなものであれば、転写ヘッド被覆位置にある転写対象物受け台を回転退避させることにより、転写ヘッド表出位置となり、操作も簡単である。
【００５７】
また、規制手段及び／又はガイド手段を構成する延出片が、転写対象物受け台に設けられ且つ転写具本体に向かって延出するものであってもよい。なお、規制手段とガイド手段とをそれぞれ異なる部材を用いて構成してもよい。
【００５８】
また、延出片のうち少なくとも挿通空間側に位置する内向き面と、転写ヘッドの転写面を通過する仮想の起立面である第１仮想起立面とが転写方向に開く鈍角となるように設定したものを採用しても構わない。このようなものであれば、図９に示すように、延出片４１７の内向き面４１７ａと転写ヘッドＨの転写面を通過する仮想の起立面である第１仮想起立面ｖｉｒ１とが略直交する場合に転写時に手首を返すことによる生じ得る転写の軌跡が円弧状の曲線を描くという不具合を防止し、転写時の直進性を向上させることができる。具体的には、図１０に示すように、前記第１仮想起立面ｖｉｒ１を前記転写方向と直交させ、前記内向き面４１７ａと前記第１仮想起立面ｖｉｒ１とでなす角度が前記転写方向に開く鈍角となるように設定していることが好ましい。このように、予め前記内向き面４１７ａを転写方向に対して曲がり方向を見込んで矯正しておくことで、転写時に手首が返っても転写の軌跡が曲がり難くなり、略真っ直ぐに転写することができる。この場合、図示していないが、延出片を転写具本体に設けるとともに、転写具本体の外側壁たる外側板を延出片の内向き面に対して略平行になるように設定すれば、転写具本体と転写対象物受け台との間に紙片等の転写対象物を挟み込んだ状態で、少なくとも転写具本体の外側板が紙片の縁部に対して見掛け上略平行となり、前記内向き面を第１仮想起立面に対して所定角度傾斜させた場合であっても使用者が違和感なく転写作業を行うことができる。また、前記転写方向に沿って起立する仮想の起立面である第２仮想起立面と前記内向き面とが平行になるように内向き面を設定し、この内向き面と前記第１仮想起立面とが前記転写方向に開く鈍角となるように設定しても同様の効果を得ることができる。
【００５９】
また、転写対象物受け台に、第1補助ローラの回転支軸を支持する第１補助ローラ受け台を設け、この第１補助ローラ受け台を転写ヘッドと接離する方向に弾性変形可能に構成することにより、転写対象物の厚み等に対応して対向する転写ヘッドと第１補助ローラとを密着させたり分離させたりすることができ好適である。第１補助ローラ受け台の具体的な実施態様としては、第１補助ローラ受け台の周囲に第１補助ローラ受け台と転写対象物受け台が分離しない範囲でスリットを形成し、このスリットを介して第１補助ローラ受け台が転写対象物受け台と連続している連続部を支点に転写対象物受け台に対して浮き沈みし得るように構成したものが挙げられる。さらに、転写対象物受け台に少なくとも一の第２補助ローラを備え、第２補助ローラの回転支軸を支持する第２補助ローラ受け台を、一の第２補助ローラと対向するように転写具本体に設けられた他の前記第２補助ローラと接離する方向に弾性変形可能に構成してもよい。第２補助ローラ受け台の具体的な実施態様としては、第２補助ローラ受け台の周囲に第２補助ローラ受け台と転写対象物受け台が分離しない範囲でスリットを形成し、このスリットを介して第２補助ローラ受け台が転写対象物受け台と連続している連続部を支点に転写対象物受け台に対して浮き沈みし得るように構成したものが挙げられる。このような構成を採用することにより、それぞれ対向するローラ同士の離間距離を転写対象物の厚みに対向して柔軟に変更させることができ、その結果、ローラ間に挟まれる転写対象物を確実に保持することが可能となり、好適である。
【００６０】
また、転写物としてのテープ糊は、固体又は液体糊いずれであってもよく、その他、修正テープや粘着テープ、粘着性を有しないテープ等の各種テープ類、接着剤等、転写対象物に転写される転写物一般に対して適用可能なものである。
【００６１】
その他、各部の具体的構成についても上記実施形態に限られるものではなく、本発明の趣旨を逸脱しない範囲で種々変形が可能である。
【図面の簡単な説明】
【００６２】
【図１】本発明の一実施形態に係る転写具の全体斜視図。
【図２】同実施形態に係る転写具の分解斜視図。
【図３】同実施形態に係る転写具を一部省略して示す概略側面図。
【図４】同実施形態に係る転写具を一部省略して示す概略側面図。
【図５】作用説明図。
【図６】図３におけるＢ−Ｂ線断面を一部省略して示す図。
【図７】同実施形態に係る転写具を一部省略して示す概略側面図。
【図８】同実施形態に係る転写具の一変形例を図６に対応させて示す図。
【図９】作用説明図。
【図１０】作用説明図。
【符号の説明】
【００６３】
１…転写具本体
２…転写対象物受け台
４１７…延出片
４１７ａ…内向き面
４１８…軸
５１１…軸受け部
５１１ｃ…溝
Ａ…転写具
ＡＳ…挿通空間
Ｈ…転写ヘッド
Ｐ…転写対象物（紙片）
Ｐａ…縁部
Ｒ１…第１補助ローラ
Ｒ１ａ…裏当て面
ＲＴ…転写ローラ
ＲＴａ…転写面
Ｒ２ａ、Ｒ２ｂ…第２補助ローラ
Ｔ…転写物（テープ糊）
ｖｉｒ１…仮想第１起立面
（Ｑ）…転写ヘッド被覆位置
（Ｒ）…転写ヘッド表出位置
【図１】
2005319619.tif 000003
【図２】
2005319619.tif 000004
【図３】
2005319619.tif 000005
【図４】
2005319619.tif 000006
【図５】
2005319619.tif 000007
【図６】
2005319619.tif 000008
【図７】
2005319619.tif 000009
【図８】
2005319619.tif 000010
【図９】
2005319619.tif 000011
【図１０】
2005319619.tif 000012